【手続補正書】
【提出日】平成17年5月11日(2005.5.11)
【手続補正１】
【補正対象書類名】明細書
【補正対象項目名】発明の名称
【補正方法】変更
【補正の内容】
【発明の名称】リモートコントロールシステムとその被制御装置ならびに遠隔制御装置
【手続補正２】
【補正対象書類名】明細書
【補正対象項目名】特許請求の範囲
【補正方法】変更
【補正の内容】
【特許請求の範囲】
【請求項１】
相互間での赤外線通信を実行する被制御装置と遠隔制御装置とを備えており、
被制御装置は、動作内容が示された表示情報を遠隔制御装置に送信し、かつ、遠隔制御装置から返送されてきた操作情報に基づく動作を実行するものである一方、
遠隔制御装置は、被制御装置から送信されてきた表示情報を受信して表示し、かつ、表示情報に加えられたユーザの指示内容を示す操作情報を被制御装置に対して返送するものであることを特徴とするリモートコントロールシステム。
【請求項２】
請求項１に記載のリモートコントロールシステムであって、
被制御装置は表示情報を解釈するための解釈方式をも送信するものであり、
遠隔制御装置は被制御装置から送信されてきた解釈方式に基づく表示情報の解釈を実行したうえで表示情報を表示するものであることを特徴とするリモートコントロールシステム。
【請求項３】
請求項１または請求項２に記載のリモートコントロールシステムであって、
被制御装置は、待機中の遠隔制御装置を見いだすための探索信号を送信しており、かつ、遠隔制御装置を動作開始させたうえで表示情報の送信を開始するものである一方、
遠隔制御装置は、被制御装置からの探索信号を受信するまで待機しており、かつ、探索信号の受信に伴って動作開始したうえで被制御装置から送信されてくる表示情報の受信を開始するものであることを特徴とするリモートコントロールシステム。
【請求項４】
請求項１または請求項２に記載のリモートコントロールシステムであって、
被制御装置は、遠隔制御装置から出力された電源ＯＮ信号を受信するまで待機しており、かつ、電源ＯＮ信号の受信に伴って動作開始したうえで遠隔制御装置に対する表示情報の送信を開始するものである一方、
遠隔制御装置は、待機中の被制御装置を動作開始させるための電源ＯＮ信号を送信しており、かつ、被制御装置を動作開始させたうえで表示情報の受信を開始するものであることを特徴とするリモートコントロールシステム。
【請求項５】
請求項１ないし請求項４のいずれかに記載のリモートコントロールシステムであって、
被制御装置は、動作内容が示された表示情報をネットワークから受信したうえで遠隔制御装置に対して送信し、かつ、遠隔制御装置から返送されてきた操作情報に基づく動作を実行するものである一方、
遠隔制御装置は、被制御装置から送信されてきた表示情報を受信して表示し、かつ、表示情報に加えられたユーザの指示内容を示す操作情報を被制御装置に対して返送するものであることを特徴とするリモートコントロールシステム。
【請求項６】
請求項５に記載のリモートコントロールシステムであって、
被制御装置は表示情報を解釈するための解釈方式をもネットワークから受信したうえで遠隔制御装置に対して送信するものであり、
遠隔制御装置は被制御装置から送信されてきた解釈方式に基づく表示情報の解釈を実行したうえで表示情報を表示するものであることを特徴とするリモートコントロールシステム。
【請求項７】
請求項１ないし請求項６のいずれかに記載のリモートコントロールシステムであって、
被制御装置は、遠隔制御装置からの検索コマンドを受信したうえで自らを特定する固有情報を返送するものである一方、
遠隔制御装置は、複数の被制御装置に対して検索コマンドを送信し、かつ、被制御装置のそれぞれから返送されてきた固有情報を表示するものであることを特徴とするリモートコントロールシステム。
【請求項８】
請求項１ないし請求項６のいずれかに記載のリモートコントロールシステムであって、
被制御装置は、遠隔制御装置から受信した検索コマンドの光強度を数値化したうえで光強度パラメータを生成し、かつ、光強度パラメータを固有情報とともに返送するものである一方、
遠隔制御装置は、複数の被制御装置に対して検索コマンドを送信し、かつ、被制御装置のそれぞれから返送されてきた光強度パラメータが最大の被制御装置を選択するものであることを特徴とするリモートコントロールシステム。
【請求項９】
遠隔制御装置で制御される被制御装置であって、
動作内容が示された表示情報を遠隔制御装置に送信し、かつ、遠隔制御装置から返送されてきた操作情報に基づく動作を実行するものであることを特徴とする被制御装置。
【請求項１０】
表示情報を解釈するための解釈方式をも送信するものであることを特徴とする請求項９に記載の被制御装置。
【請求項１１】
待機中の遠隔制御装置を見いだすための探索信号を送信し、かつ、遠隔制御装置を動作開始させたのち、表示情報の送信を開始するものであることを特徴とする請求項９または請求項１０に記載の被制御装置。
【請求項１２】
遠隔制御装置から出力された電源ＯＮ信号を受信するまで待機し、かつ、電源ＯＮ信号の受信に伴って動作開始したのち、遠隔制御装置に対する表示情報の送信を開始するものであることを特徴とする請求項９または請求項１０に記載の被制御装置。
【請求項１３】
動作内容が示された表示情報をネットワークから受信したのち、遠隔制御装置に対して送信し、かつ、遠隔制御装置から返送されてきた操作情報に基づく動作を実行するものであることを特徴とする請求項９ないし請求項１２に記載の被制御装置。
【請求項１４】
表示情報を解釈するための解釈方式をもネットワークから受信したのち、遠隔制御装置に対して送信するものであることを特徴とする請求項１３に記載の被制御装置。
【請求項１５】
遠隔制御装置からの検索コマンドを受信したのち、自らを特定する固有情報を返送するものであることを特徴とする請求項９ないし請求項１４に記載の被制御装置。
【請求項１６】
遠隔制御装置から受信した検索コマンドの光強度を数値化して光強度パラメータを生成し、かつ、光強度パラメータを固有情報とともに返送するものであることを特徴とする請求項９ないし請求項１４に記載の被制御装置。
【請求項１７】
被制御装置を制御する遠隔制御装置であって、
被制御装置から送信されてきた表示情報を受信して表示し、かつ、表示情報に加えられたユーザの指示内容を示す操作情報を被制御装置に対して返送するものであることを特徴とする遠隔制御装置。
【請求項１８】
被制御装置から送信されてきた解釈方式に基づく表示情報の解釈を実行したのち、表示情報を表示するものであることを特徴とする請求項１７に記載の遠隔制御装置。
【請求項１９】
被制御装置からの探索信号を受信するまで待機し、かつ、探索信号の受信に伴って動作開始したのち、被制御装置から送信されてくる表示情報の受信を開始するものであることを特徴とする請求項１７または請求項１８に記載の遠隔制御装置。
【請求項２０】
待機中の被制御装置を動作開始させるための電源ＯＮ信号を送信し、かつ、被制御装置を動作開始させたのち、表示情報の受信を開始するものであることを特徴とする請求項１７または請求項１８に記載の遠隔制御装置。
【請求項２１】
複数の被制御装置に対して検索コマンドを送信し、かつ、被制御装置のそれぞれから返送されてきた固有情報を表示するものであることを特徴とする請求項１７ないし請求項２０に記載の遠隔制御装置。
【請求項２２】
複数の被制御装置に対して検索コマンドを送信し、かつ、被制御装置のそれぞれから返送されてきた光強度パラメータが最大の被制御装置を選択するものであることを特徴とする請求項１７ないし請求項２０に記載の遠隔制御装置。
【手続補正３】
【補正対象書類名】明細書
【補正対象項目名】０００１
【補正方法】変更
【補正の内容】
【０００１】
【発明の属する技術分野】
本発明は、リモートコントロールシステムと、該リモートコントロールシステムを構成する被制御装置ならびに遠隔制御装置に関する。
【手続補正４】
【補正対象書類名】明細書
【補正対象項目名】０００６
【補正方法】変更
【補正の内容】
【０００６】
本発明は、このような不都合に鑑みて創案されたものであり、単一個であっても複数個の被制御装置を操作可能な遠隔制御装置と、この遠隔制御装置によって操作される被制御装置と、これら被制御装置ならびに遠隔制御装置からなるリモートコントロールシステムの提供を目的としている。
【手続補正５】
【補正対象書類名】明細書
【補正対象項目名】００１１
【補正方法】変更
【補正の内容】
【００１１】
本発明の請求項９に係る被制御装置は、遠隔制御装置で制御される被制御装置であって、動作内容が示された表示情報を遠隔制御装置に送信し、かつ、遠隔制御装置から返送されてきた操作情報に基づく動作を実行するものであることを特徴としている。本発明の請求項１０に係る被制御装置は、表示情報を解釈するための解釈方式をも送信するものであることを特徴としている。本発明の請求項１１に係る被制御装置は、待機中の遠隔制御装置を見いだすための探索信号を送信し、かつ、遠隔制御装置を動作開始させたのち、表示情報の送信を開始するものであることを特徴としている。本発明の請求項１２に係る被制御装置は、遠隔制御装置から出力された電源ＯＮ信号を受信するまで待機し、かつ、電源ＯＮ信号の受信に伴って動作開始したのち、遠隔制御装置に対する表示情報の送信を開始するものであることを特徴としている。本発明の請求項１３に係る被制御装置は、動作内容が示された表示情報をネットワークから受信したのち、遠隔制御装置に対して送信し、かつ、遠隔制御装置から返送されてきた操作情報に基づく動作を実行するものであることを特徴としている。本発明の請求項１４に係る被制御装置は、表示情報を解釈するための解釈方式をもネットワークから受信したのち、遠隔制御装置に対して送信するものであることを特徴としている。本発明の請求項１５に係る被制御装置は、遠隔制御装置からの検索コマンドを受信したのち、自らを特定する固有情報を返送するものであることを特徴としている。本発明の請求項１６に係る被制御装置は、遠隔制御装置から受信した検索コマンドの光強度を数値化して光強度パラメータを生成し、かつ、光強度パラメータを固有情報とともに返送するものであることを特徴としている。
本発明の請求項１７に係る遠隔制御装置は、被制御装置を制御する遠隔制御装置であって、被制御装置から送信されてきた表示情報を受信して表示し、かつ、表示情報に加えられたユーザの指示内容を示す操作情報を被制御装置に対して返送するものであることを特徴としている。本発明の請求項１８に係る遠隔制御装置は、被制御装置から送信されてきた解釈方式に基づく表示情報の解釈を実行したのち、表示情報を表示するものであることを特徴としている。本発明の請求項１９に係る遠隔制御装置は、被制御装置からの探索信号を受信するまで待機し、かつ、探索信号の受信に伴って動作開始したのち、被制御装置から送信されてくる表示情報の受信を開始するものであることを特徴としている。本発明の請求項２０に係る遠隔制御装置は、待機中の被制御装置を動作開始させるための電源ＯＮ信号を送信し、かつ、被制御装置を動作開始させたのち、表示情報の受信を開始するものであることを特徴としている。本発明の請求項２１に係る遠隔制御装置は、複数の被制御装置に対して検索コマンドを送信し、かつ、被制御装置のそれぞれから返送されてきた固有情報を表示するものであることを特徴としている。本発明の請求項２２に係る遠隔制御装置は、複数の被制御装置に対して検索コマンドを送信し、かつ、被制御装置のそれぞれから返送されてきた光強度パラメータが最大の被制御装置を選択するものであることを特徴としている。
【発明の実施の形態】
以下、本発明に係る実施の形態を図面に基づいて説明する。